(57)【要約】【課題】自動販売機展示用のダミー商品に安定して取り付けて振動等の外力が加わっても容易に脱落することのない広告用タグを提供する。【解決手段】上部に細長状の口部１４を有する中空半割状の自動販売機展示用のダミー商品１０に取り付けて使用する広告用タグであって、弾性変形可能な合成樹脂製の板材を基部１５とディスプレー部１６とに区分し、その基部１５にダミー商品１０の前記口部１４の挿入が可能な開口１８およびこの開口１８の面内を横切って延びる舌片１９を形成し、前記開口１８内に前記ダミー商品１０の口部１４を挿入して前記舌片１９を押し上げて弾性的に変形させるとともに、その舌片１９を前記口部１４の内側に押し込んでその先端部を口部１４の内面に当接させることによりダミー商品１０に取り付ける。【選択図】    図２
0003104923.tif 000002
【実用新案登録請求の範囲】
【請求項１】
上部に細長状の口部を有する中空半割状の自動販売機展示用のダミー商品に取り付けて使用する広告用タグであって、
弾性変形可能な合成樹脂製の板材を基部とディスプレー部とに区分し、その基部にダミー商品の前記口部の挿入が可能な開口およびこの開口の面内を横切って延びる舌片を形成し、
前記開口内に前記ダミー商品の口部を挿入して前記舌片を押し上げて弾性的に変形させるとともに、その舌片を前記口部の内側に押し込んでその先端部を口部の内面に当接させることによりダミー商品に取り付けることが可能な自動販売機に用いる広告用タグ。
【考案の詳細な説明】
【技術分野】
【０００１】
この考案は、自動販売機展示用のダミー商品に取り付けて使用する広告用タグに関する。
【背景技術】
【０００２】
自動販売機にはその前面に展示室が設けられ、この展示室内に販売商品の見本であるダミー商品が展示されている。そして展示室内の各ダミー商品にはその実際の商品の内容等を顧客にアピールするための広告用タグが取り付けられている。
【０００３】
図５には飲料入りボトル缶をかたどったダミー商品１と、そのダミー商品１に取り付けられる従来の広告用タグ２とを示してある。図５（ａ）は広告用タグ２の断面図であり、図５（ｂ）はその広告用タグ２をダミー商品１に取り付けた状態の断面図である。
【０００４】
ダミー商品１は、ボトル缶を半割にした形状をなす合成樹脂製の一体成形中空半割品で、正面から見た形態や彩色等が実際のボトル缶と同じ外観となっている。
【０００５】
広告用タグ２は、適度な張りを有する弾性変形可能な薄い合成樹脂製の透明板材からなり、基部３と、この基部３の一側縁からその外方に一体に延出するディスプレー部４とに区分され、前記基部３に開口５と、この開口５の内側に向って斜めに傾斜して延びる舌片６とが型抜き加工により形成され、ディスプレー部４の表面には販売する商品の宣伝用のコピーやロゴとともに人目をひく彩色等が施されている。
【０００６】
広告用タグ２をダミー商品１に取り付ける際には、前記舌片６をその弾性力に抗して図５（ａ）に鎖線で示すように指先で下方に押し下げ、この状態でダミー商品１の背面側からダミー商品１の上端の水平壁１ａの下側に向けて舌片６を差込む。そして図５（ｂ）に示すように、前記舌片６の弾性力によりその舌片６と基部３とで水平壁１ａを挟み付け、この弾性的な挟み付けで基部３をダミー商品１の上端部に取り付け、前記ディスプレー部４をダミー商品１の表面側に垂れ下がるように配置させ、商品についての宣伝をする。
【考案の開示】
【考案が解決しようとする課題】
【０００７】
ところが、このような従来の広告用タグ２においては、ダミー商品１の上端の水平壁１ａを単に基部３と舌片６とで弾性的に挟み付けて取り付けるだけであるため、その取り付けの安定性が悪く、振動等の外力が加わった際に比較的容易に脱落してしまうというな難点ある。
【０００８】
そこで、この考案では、ダミー商品に安定して取り付けることができ、振動等の外力が加わっても容易に脱落することのない広告用タグを提供することを目的としている。
【課題を解決するための手段】
【０００９】
この考案は、上部に細長状の口部を有する中空半割状の自動販売機展示用のダミー商品に取り付けて使用する広告用タグであって、弾性変形可能な合成樹脂製の板材を基部とディスプレー部とに区分し、その基部にダミー商品の前記口部の挿入が可能な開口およびこの開口の面内を横切って延びる舌片を形成し、前記開口内に前記ダミー商品の口部を挿入して前記舌片を押し上げて弾性的に変形させるとともに、その舌片を前記口部の内側に押し込んでその先端部を口部の内面に当接させることによりダミー商品に取り付けることができるよいうにしてある。
【考案の効果】
【００１０】
この考案の広告用タグによれば、基部に形成された開口がダミー商品の口部に嵌合してその水平方向の動きが規制されるとともに、舌片が口部の内側に弾性的に当接して上下方向の動きが規制され、したがってダミー商品に対する取り付け状態が安定し、振動等の外力が加わっても脱落するようなことがない。
【考案を実施するための最良の形態】
【００１１】
以下、この考案の一実施形態について図１〜図４を参照して説明する。
【００１２】
図１および図２には、ダミー商品１０と、このダミー商品１０に取り付けられた広告用タグ１１とを示してある。ダミー商品１０は販売する例えばボトル缶の見本であり、擬似的な胴部１２と、この胴部１２からその上方の内側に傾斜して延びる肩部１３と、さらにこの肩部１３からその上方に細長状に延びる擬似的な口部１４とを備える中空半割形の合成樹脂製の一体成形品となっている。そして前記口部１４の上端には水平壁１４ａが一体に形成されている。
【００１３】
広告用タグ１１は、適度な張りを有する弾性変形可能な厚さの薄い合成樹脂製の透明板材からなる。図３には広告用タグ１１とダミー商品１０とを分解した状態の斜視図を、図４には広告用タグ１１の展開状態の平面図をそれぞれ示してある。
【００１４】
広告用タグ１１は、基部１５と、この基部１５の一側縁からその外方に一体に延出するディスプレー部１６とに区分されている。そして基部１５とディスプレー部１６との境に折り曲げ用の折り目線１７が施されている。
【００１５】
基部１５には、半月状で前記ダミー商品１０の口部１４の挿通が可能な開口１８と、この開口１８の一側縁から開口１８の面内を横切ってディスプレー部１６にまで延びる比較的長さの長い舌片１９とが型抜き加工により形成されている。そしてディスプレー部１６の裏面には販売する商品の宣伝用のコピーやロゴとともに人目をひく彩色等が施されている。
【００１６】
広告用タグ１１をダミー商品１０に取り付ける際には、図２に示すように、ダミー商品１０の口部１４を広告用タグ１１の開口１８内にその下方から挿入する。この挿入に応じて舌片１９が鎖線で示すように前記口部１４により押し上げられて上方に起立するように弾性的に変形する。
【００１７】
さらに口部１４を挿入すると、開口１８の縁部がダミー商品１０の肩部１３に当たって基部１５がダミー商品１０に係止されてその水平方向の動きが規制される。そしてこの状態のもとで前記舌片１９を口部１４の内側に指先で押し込む。この押し込みにより舌片１９が弾性的に湾曲し、その先端部が口部１４の内面の水平壁１４ａに当接し、これにより広告用タグ１１の上下方向の動きが規制される。
【００１８】
広告用タグ１１をダミー商品１０に取り付けた後には、ディスプレー部１６を折り目線１７に沿って上方に折り曲げてその裏面を正面に向ける。なお、ディスプレー部１６の折り曲げは、広告用タグ１１をダミー商品１０に取り付ける前に予め行なっておいてもよい。
【００１９】
このようにこの考案の広告用タグ１１においては、開口１８がダミー商品１０の口部１４に嵌合してその水平方向の動きが規制されるとともに、舌片１９が口部１４の内側に弾性的に当接して上下方向の動きが規制され、したがって広告用タグ１１の取り付け状態が安定し、ダミー商品１０が自動販売機の展示室内に展示されているときに、振動等の外力が加わっても広告用タグ１１がダミー商品１０から脱落するようなことがなく、長期に渡って有効に宣伝効果を発揮させることができる。
【図面の簡単な説明】
【００２０】
【図１】この考案の一実施形態に係る広告用タグをダミー商品に取り付けた状態の斜視図。
【図２】同じく断面図。
【図３】その広告用タグとダミー商品との分解状態の斜視図。
【図４】その広告用タグを展開した状態の平面図。
【図５】従来の広告用タグおよびその広告用タグをダミー商品に取り付けときの状態を示す断面図。
【符号の説明】
【００２１】
１０…ダミー商品
１１…広告用タグ
１２…胴部
１３…肩部
１４…口部
１４ａ…水平壁
１５…基部
１６…ディスプレー部
１７…折り目線
１９…開口
２０…舌片
【図１】
0003104923.tif 000003
【図２】
0003104923.tif 000004
【図３】
0003104923.tif 000005
【図４】
0003104923.tif 000006
【図５】
0003104923.tif 000007